(57)【特許請求の範囲】
【請求項１】
ベースハウジングを備え且つ回路基板に固定されるベースコネクタと組み合わされて使用されるソケットコネクタであって、
前記ソケットコネクタと前記ベースコネクタとが組み合わされた組み合わせ状態において、前記ソケットコネクタから前記ベースコネクタに向かう方向を第１方向とし、前記第１方向と反対の方向を第２方向とし、前記第１方向及び前記第２方向に直交する所定の方向を第３方向とし、前記第３方向と反対の方向を第４方向とし、前記第１方向、前記第２方向、前記第３方向及び前記第４方向に直交する方向を第５方向としたときに、
前記ソケットコネクタは、ソケットハウジングを備え、
前記ソケットハウジングは、前記ソケットハウジングにおける前記第４方向側に、前記第５方向の外側に突出する嵌合ガイドリブを備え、
前記ベースハウジングは、前記嵌合ガイドリブを前記ベースハウジングにおける前記第４方向側で且つ前記第１方向側の位置に誘導する嵌合ガイドリブ用溝と、前記ベースハウジングにおける前記第４方向側に配置され前記第３方向側に突出するベース側凸部と、を備え、
前記ソケットハウジングは、前記ソケットハウジングにおける前記第３方向側に、前記第５方向の外側に突出し且つ前記第３方向に貫通する貫通孔が形成される側面リブと、前記側面リブの前記第５方向の外側に突出する延長リブと、前記嵌合ガイドリブよりも前記第５方向の内側に配置され前記組み合わせ状態において前記第４方向側の端部が前記ベース側凸部の前記第１方向側に収容されるソケット側底壁部と、を備え、
前記ベースハウジングは、前記側面リブ及び前記延長リブを前記第５方向の内側に押圧した状態で前記側面リブを前記ベースハウジングにおける前記第１方向側の位置に誘導する側面リブ用溝と、前記組み合わせ状態において前記延長リブが係合するラッチ部と、を備え、
前記組み合わせ状態において、前記ソケットコネクタには、前記嵌合ガイドリブが前記嵌合ガイドリブ用溝に収容された状態において前記嵌合ガイドリブ用溝における前記第４方向側で且つ前記第１方向側の位置に形成された嵌合ガイドリブ係止部と前記嵌合ガイドリブ用溝に収容された前記嵌合ガイドリブとが前記１方向及び前記第２方向から視た場合に重なる領域であって前記第５方向に視た場合に前記ベースハウジングを前記回路基板に固定する固定部材の少なくとも一部に重なる位置に形成される嵌合ガイドリブ収容領域と、前記ソケット側底壁部が前記ベース側凸部に収容された状態において前記ソケット側底壁部と前記ベース側凸部とが前記１方向及び前記第２方向から視た場合に重なる領域であるベース側凸部重なり領域と、が形成され、
前記ベース側凸部重なり領域は、前記第５方向から視た場合に、前記嵌合ガイドリブ収容領域の少なくとも一部に重なる位置に形成されるソケットコネクタ。
【請求項２】
ベースハウジングを備え且つ回路基板に固定されるベースコネクタと組み合わされて使用されるソケットコネクタであって、
前記ソケットコネクタと前記ベースコネクタとが組み合わされた組み合わせ状態において、前記ソケットコネクタから前記ベースコネクタに向かう方向を第１方向とし、前記第１方向と反対の方向を第２方向とし、前記第１方向及び前記第２方向に直交する所定の方向を第３方向とし、前記第３方向と反対の方向を第４方向とし、前記第１方向、前記第２方向、前記第３方向及び前記第４方向に直交する方向を第５方向としたときに、
前記ソケットコネクタは、ソケットハウジングを備え、
前記ソケットハウジングは、前記ソケットハウジングにおける前記第４方向側に、前記第５方向の外側にそれぞれ突出する一対の嵌合ガイドリブを備え、
前記ベースハウジングは、一対の前記嵌合ガイドリブを前記ベースハウジングにおける前記第４方向側で且つ前記第１方向側の位置に誘導する一対の嵌合ガイドリブ用溝と、前記ベースハウジングにおける前記第４方向側に配置され前記第３方向側に突出するベース側凸部と、を備え、
前記ソケットハウジングは、前記ソケットハウジングにおける前記第３方向側に、前記第５方向の外側にそれぞれ突出し且つ前記第３方向に貫通する貫通孔が形成される一対の側面リブと、一対の前記側面リブの前記第５方向の外側にそれぞれ突出する一対の延長リブと、前記嵌合ガイドリブよりも前記第５方向の内側に配置され前記組み合わせ状態において前記第４方向側の端部が前記ベース側凸部の前記第１方向側に収容されるソケット側底壁部と、を備え、
前記ベースハウジングは、一対の前記側面リブ及び一対の前記延長リブを前記第５方向の内側に押圧した状態で一対の前記側面リブを前記ベースハウジングにおける前記第１方向側の位置に誘導する一対の側面リブ用溝と、前記組み合わせ状態において一対の前記延長リブが係合する一対のラッチ部と、を備え、
前記組み合わせ状態において、前記ソケットコネクタには、前記嵌合ガイドリブが前記嵌合ガイドリブ用溝に収容された状態において前記嵌合ガイドリブ用溝における前記第４方向側で且つ前記第１方向側の位置に形成された嵌合ガイドリブ係止部と前記嵌合ガイドリブ用溝に収容された前記嵌合ガイドリブとが前記１方向及び前記第２方向から視た場合に重なる領域であって前記第５方向に視た場合に前記ベースハウジングを前記回路基板に固定する固定部材の少なくとも一部に重なる位置に形成される嵌合ガイドリブ収容領域と、前記ソケット側底壁部が前記ベース側凸部に収容された状態において前記ソケット側底壁部と前記ベース側凸部とが前記１方向及び前記第２方向から視た場合に重なる領域であるベース側凸部重なり領域と、が形成され、
前記ベース側凸部重なり領域は、前記第５方向から視た場合に、前記嵌合ガイドリブ収容領域の少なくとも一部に重なる位置に形成されるソケットコネクタ。
【請求項３】
前記組み合わせ状態において前記第３方向に視た場合に、前記貫通孔と前記嵌合ガイドリブとは少なくとも一部が重なる位置に配置される請求項１又は２に記載のソケットコネクタ。
【発明の詳細な説明】
【技術分野】
【０００１】
本発明は、回路基板に固定されたベースコネクタと組み合わされて使用されるソケットコネクタに関する。
【背景技術】
【０００２】
従来、回路基板に固定されたベースコネクタと、ソケットコネクタとからなるコネクタ対（以下、「ソケットコネクタ−ベースコネクタ対」ともいう。）が知られている（例えば、特許文献１参照）。
特許文献１に記載のソケットコネクタ−ベースコネクタ対は、ソケットコネクタをベースコネクタの上方から挿入して嵌合させるコネクタ対であり、電線が横方向に引き出されるように配置されている。
従来のソケットコネクタ−ベースコネクタ対においては、ベースコネクタからソケットコネクタを抜き差しした場合に、ロック用のツメやその受け部が削れて、ロックが緩くなってしまうという問題があった。これに対して、特許文献１に記載のソケットコネクタ−ベースコネクタ対においては、ソケットコネクタの上方側への移動を妨げる嵌合機構を設けている。
【先行技術文献】
【特許文献】
【０００３】
【特許文献１】特開２００５−１５８７３０号公報
【発明の概要】
【発明が解決しようとする課題】
【０００４】
しかしながら、特許文献１に記載のソケットコネクタ−ベースコネクタ対は、ベースコネクタからソケットコネクタを抜き差しした場合に生じるソケットコネクタやベースコネクタの摩耗を低減することについては特段考慮されていない。
ベースコネクタ及びソケットコネクタの抜き差しにより生じるソケットコネクタやベースコネクタの摩耗を抑制することができれば、特許文献１に記載のソケットコネクタのように、特別な機構を設ける必要がなくなる。
【０００５】
本発明は、ベースコネクタ及びソケットコネクタの抜き差しにより生じるソケットコネクタやベースコネクタの摩耗等の損傷を低減することができるソケットコネクタを提供することを目的とする。
【課題を解決するための手段】
【０００６】
本発明は、ベースハウジングを備え且つ回路基板に固定されるベースコネクタと組み合わされて使用されるソケットコネクタであって、前記ソケットコネクタと前記ベースコネクタとが組み合わされた組み合わせ状態において、前記ソケットコネクタから前記ベースコネクタに向かう方向を第１方向とし、前記第１方向と反対の方向を第２方向とし、前記第１方向及び前記第２方向に直交する所定の方向を第３方向とし、前記第３方向と反対の方向を第４方向とし、前記第１方向、前記第２方向、前記第３方向及び前記第４方向に直交する方向を第５方向としたときに、前記ソケットコネクタは、ソケットハウジングを備え、前記ソケットハウジングは、前記ソケットハウジングにおける前記第４方向側に、前記第５方向の外側に突出する嵌合ガイドリブを備え、前記ベースハウジングは、前記嵌合ガイドリブを前記ベースハウジングにおける前記第４方向側で且つ前記第１方向側の位置に誘導する嵌合ガイドリブ用溝を備え、前記ソケットハウジングは、前記ソケットハウジングにおける前記第３方向側に、前記第５方向の外側に突出し且つ前記第３方向に貫通する貫通孔が形成される側面リブと、前記側面リブの前記第５方向の外側に突出する延長リブと、を備え、前記ベースハウジングは、前記側面リブ及び前記延長リブを前記第５方向の内側に押圧した状態で前記側面リブを前記ベースハウジングにおける前記第１方向側の位置に誘導する側面リブ用溝と、前記組み合わせ状態において前記延長リブが係合するラッチ部と、を備えるソケットコネクタに関する。
【０００７】
また、本発明は、ベースハウジングを備え且つ回路基板に固定されるベースコネクタと組み合わされて使用されるソケットコネクタであって、前記ソケットコネクタと前記ベースコネクタとが組み合わされた組み合わせ状態において、前記ソケットコネクタから前記ベースコネクタに向かう方向を第１方向とし、前記第１方向と反対の方向を第２方向とし、前記第１方向及び前記第２方向に直交する所定の方向を第３方向とし、前記第３方向と反対の方向を第４方向とし、前記第１方向、前記第２方向、前記第３方向及び前記第４方向に直交する方向を第５方向としたときに、前記ソケットコネクタは、ソケットハウジングを備え、前記ソケットハウジングは、前記ソケットハウジングにおける前記第４方向側に、前記第５方向の外側にそれぞれ突出する一対の嵌合ガイドリブを備え、前記ベースハウジングは、一対の前記嵌合ガイドリブを前記ベースハウジングにおける前記第４方向側で且つ前記第１方向側の位置に誘導する一対の嵌合ガイドリブ用溝を備え、前記ソケットハウジングは、前記ソケットハウジングにおける前記第３方向側に、前記第５方向の外側にそれぞれ突出し且つ前記第３方向に貫通する貫通孔が形成される一対の側面リブと、一対の前記側面リブの前記第５方向の外側にそれぞれ突出する一対の延長リブと、を備え、
前記ベースハウジングは、一対の前記側面リブ及び一対の前記延長リブを前記第５方向の内側に押圧した状態で一対の前記側面リブを前記ベースハウジングにおける前記第１方向側の位置に誘導する一対の側面リブ用溝と、前記組み合わせ状態において一対の前記延長リブが係合する一対のラッチ部と、を備えるソケットコネクタに関する。
【０００８】
また、前記組み合わせ状態において前記第３方向に視た場合に、前記貫通孔と前記嵌合ガイドリブとは少なくとも一部が重なる位置に配置されることが好ましい。
【発明の効果】
【０００９】
本発明によれば、ベースコネクタ及びソケットコネクタの抜き差しにより生じるソケットコネクタやベースコネクタの摩耗等の損傷を低減することができるソケットコネクタを提供することができる。
【図面の簡単な説明】
【００１０】
【図１】本発明の一実施形態のソケットコネクタ１０とベースコネクタ３０とを分離した状態でソケットコネクタ１０側から視た斜視図である。
【図２】図１に示すソケットコネクタ１０とベースコネクタ３０とを組み合わせた状態でソケットコネクタ１０側から視た斜視図である。
【図３】ソケットコネクタ１０と組み合わせて使用されるベースコネクタ３０を示す斜視図である。
【図４】ソケットコネクタ１０を底壁側から視た斜視図である。
【図５】ソケットコネクタ１０を天壁側から視た斜視図である。
【図６】組み合わされた状態のソケットコネクタ１０及びベースコネクタ３０の平面図である。
【図７】組み合わされた状態のソケットコネクタ１０及びベースコネクタ３０の底面図である。
【図８】図６に示す６Ａ−６Ａ線断面図である。
【図９】図６に示す６Ｂ−６Ｂ線断面図である。
【図１０】図６に示す６Ｃ−６Ｃ線断面図である。
【図１１】図６に示す６Ｄ−６Ｄ線断面図である。
【図１２】ソケットコネクタ１０と組み合わせて使用されるベースコネクタ３０を示す平面図である。
【図１３】図１２に示すベースコネクタ３０を矢視１２Ｂ方向から視た正面図である。
【図１４】ソケットコネクタ１０と組み合わせて使用されるベースコネクタ３０を示す底面図である。
【図１５】図１３に示す１３Ａ−１３Ａ線断面図である。
【図１６】図１２に示す１２Ａ−１２Ａ線断面図である。
【図１７】ソケットコネクタ１０を示す底面図である。
【図１８】図５に示すソケットコネクタ１０を矢視５Ａ方向から視た正面図である。
【図１９】図５に示すソケットコネクタ１０を矢視５Ｂ方向から視た背面図である。
【図２０】図５に示す５Ｃ−５Ｃ線断面図である。
【図２１】図１８に示す１８Ａ−１８Ａ線断面図である。
【図２２】（Ａ）及び（Ｂ）は、ソケットコネクタ１０とベースコネクタ３０との組み合わせる際にソケットコネクタ１０を傾けた状態を示す図である。
【図２３】（Ａ）及び（Ｂ）は、ソケットコネクタ１０とベースコネクタ３０との組み合わせ手順を順次示す図であって、図２２（Ａ）に示す２２Ａ−２２Ｂ−２２Ｃ−２２Ｄ線断面図である。
【図２４】（Ａ）及び（Ｂ）は、図２３（Ａ）及び（Ｂ）に示す状態から進行した組み合わせ手順を順次示す図である。
【図２５】（Ａ）〜（Ｃ）は、ソケットコネクタ１０とベースコネクタ３０との組み合わせ手順を順次示す図であって、図２２（Ｂ）に示す２２Ｅ−２２Ｅ線断面図である。
【発明を実施するための形態】
【００１１】
以下に、本発明のソケットコネクタの一実施形態について、図面を参照しながら説明する。図１は、本発明の一実施形態のソケットコネクタ１０とベースコネクタ３０とを分離した状態でソケットコネクタ１０側から視た斜視図である。図２は、図１に示すソケットコネクタ１０とベースコネクタ３０とを組み合わせた状態でソケットコネクタ１０側から視た斜視図である。図３は、ソケットコネクタ１０と組み合わせて使用されるベースコネクタ３０を示す斜視図である。図４は、ソケットコネクタ１０を底壁側から視た斜視図である。図５は、ソケットコネクタ１０を天壁側から視た斜視図である。図６は、組み合わされた状態のソケットコネクタ１０及びベースコネクタ３０の平面図である。図７は、組み合わされた状態のソケットコネクタ１０及びベースコネクタ３０の底面図である。図８は、図６に示す６Ａ−６Ａ線断面図である。図９は、図６に示す６Ｂ−６Ｂ線断面図である。図１０は、図６に示す６Ｃ−６Ｃ線断面図である。
【００１２】
図１１は、図６に示す６Ｄ−６Ｄ線断面図である。図１２は、ソケットコネクタ１０と組み合わせて使用されるベースコネクタ３０を示す平面図である。図１３は、図１２に示すベースコネクタ３０を矢視１２Ｂ方向から視た正面図である。図１４は、ソケットコネクタ１０と組み合わせて使用されるベースコネクタ３０を示す底面図である。図１５は、図１３に示す１３Ａ−１３Ａ線断面図である。図１６は、図１２に示す１２Ａ−１２Ａ線断面図である。図１７は、ソケットコネクタ１０を示す底面図である。図１８は、図５に示すソケットコネクタ１０を矢視５Ａ方向から視た正面図である。図１９は、図５に示すソケットコネクタ１０を矢視５Ｂ方向から視た背面図である。図２０は、図５に示す５Ｃ−５Ｃ線断面図である。図２１は、図１８に示す１８Ａ−１８Ａ線断面図である。
【００１３】
本発明のソケットコネクタ１０は、ベースコネクタ３０と組み合わされて使用されるコネクタである。
まず、本実施形態のソケットコネクタ１０と組み合わされて使用されるベースコネクタ３０について説明する。
なお、以下の説明において、ソケットコネクタ１０とベースコネクタ３０とが組み合わされた状態を「組み合わせ状態」という。また、組み合わせ状態において、ソケットコネクタ１０からベースコネクタ３０に向かう方向を「第１方向Ｄ１」とし、第１方向Ｄ１と反対の方向を第２方向Ｄ２とし、第１方向Ｄ１及び第２方向Ｄ２に直交する所定の方向を第３方向Ｄ３とし、第３方向Ｄ３と反対の方向を第４方向Ｄ４とし、第１方向Ｄ１、第２方向Ｄ２、第３方向Ｄ３及び第４方向Ｄ４に直交する方向を第５方向とする。
【００１４】
図１〜図５に示すように、ベースコネクタ３０は、回路基板Ｓの表面に固定されるコネクタである。図１〜図１６に示すように、ベースコネクタ３０は、合成樹脂等からなるベースハウジング３１と、複数のベースコンタクト３５と、固定部材８と、を備えている。ベースハウジング３１は、第１方向Ｄ１に平面視した場合、略矩形状の底板部３８と、底板部３８の第４方向Ｄ４側に形成される略矩形状の底部開口部３７と、略矩形状の底板部３８及び底部開口部３７を囲む平面視で略矩形枠状の周壁部３２と、を備えている。周壁部３２は、必ずしも連続していないが、全体として略矩形枠状となっている。
【００１５】
略矩形枠状の周壁部３２は、第３方向Ｄ３側に位置すると共に第５方向Ｄ５に延びる前壁部３２ａと、第４方向Ｄ４側に位置すると共に第５方向Ｄ５に延びる後壁部３２ｃと、前壁部３２ａの両端部と後壁部３２ｃの両端部とを繋ぐように、第３方向Ｄ３（第４方向Ｄ４）に延びる一対の側壁部３２ｂ，３２ｂと、を備える。後壁部３２ｃの高さは、電線Ｗ（詳細は後述）との干渉を避けるために、前壁部３２ａ及び側壁部３２ｂの高さと比べて低くなっている。
【００１６】
後壁部３２ｃにおける第２方向Ｄ２側には、ベース側開口部３４が形成されている。ベース側開口部３４は、第３方向Ｄ３に延びていると共に第２方向Ｄ２に開放している。平面視した場合におけるベース側開口部３４の領域は、図１４に示すように、後壁部３２ｃの第４方向Ｄ４の縁部３４ａから、後述する後壁部３２ｃにおける一対の外側後壁部４１，４１の第３方向Ｄ３側の縁部３４ｂまでの間の領域である。
【００１７】
ベースコネクタ３０においては、底板部３８及び略矩形枠状の周壁部３２によって包囲された収容空間３９が形成される。収容空間３９は、第２方向Ｄ２側が開放しており、第１方向側が底部開口部３７により開放しており、第４方向Ｄ４側がベース側開口部３４（図１、図１３及び図１４等参照）により開放している。
組み合わせ状態において、収容空間３９には、ソケットハウジング１１における第１方向Ｄ１側の大部分が収容される。
【００１８】
後壁部３２ｃは、図１及び図３に示すように、第５方向Ｄ５それぞれの外側に形成される一対の外側後壁部４１，４１と、第５方向Ｄ５において一対の外側後壁部４１，４１の内側に形成される内側後壁部４２と、を有する。
一対の外側後壁部４１，４１は、上面側において、第５方向Ｄ５の内側に向かうにしたがって緩やかに下る円弧状の傾斜面を有する。一対の外側後壁部４１，４１の傾斜面には、組み合わせ状態において、電線Ｗが配置される。
【００１９】
一対の外側後壁部４１，４１の第３方向Ｄ３側の端面４１ａは、図１２に示すように、ベース側基準面１００に一致している。ベース側基準面１００は、ベース側開口部３４における第３方向Ｄ３側の縁部３４ｂに形成される。ベース側基準面１００は、仮想面であり、第５方向Ｄ５に延びている。つまり、ベース側基準面１００は、外側後壁部４１の第３方向Ｄ３側の端面４１ａのみではなく、外側後壁部４１の第３方向Ｄ３側の端面４１ａを含む面であって、第５方向Ｄ５に延びる仮想面である。
【００２０】
内側後壁部４２は、図１に示すように、第２方向Ｄ２に所定の高さ（厚み）を有すると共に第３方向Ｄ３に所定の幅を有しており、第５方向Ｄ５に延びる。内側後壁部４２は、基部４２１と、ベース側凸部としての内方側凸リブ４２２と、基部４２１から第２方向Ｄ２側に突出する複数の後壁補強凸部（補強凸部）４２３と、を有する。
【００２１】
基部４２１は、一対の外側後壁部４１，４１を繋ぐように第５方向Ｄ５に延びる直方体形状に形成される。基部４２１の第３方向Ｄ３側の端面４２１ａは、図１４に示すように、ベース側開口部３４における第３方向Ｄ３側の縁部３４ｂと一致し、外側後壁部４１の第３方向Ｄ３側の端面４１ａと同一平面上に位置する。つまり、基部４２１の第３方向Ｄ３側の端面４２１ａは、ベース側基準面１００と一致する。
【００２２】
内方側凸リブ４２２は、図１４に示すように、ベース側基準面１００（基部４２１の第３方向Ｄ３側の端面４２１ａ）から第３方向Ｄ３側に突出する。内方側凸リブ４２２は、第５方向Ｄ５に連続して延びる。内方側凸リブ４２２は、組み合わせ状態の形成過程で、後述するソケットハウジング１１のソケット側干渉部としての側壁部７１２（図５参照）が当接することで、異なる極数のソケットコネクタ１０とベースコネクタ３０とが組み合わされることを防止する機能を有する。この機能の詳細については後述する。
【００２３】
また、内方側凸リブ４２２の第１方向Ｄ１側には、図１３に示すように、底壁配置空間４２４が形成される。底壁配置空間４２４は、第５方向Ｄ５に延びると共に、組み合わせ状態においてソケットハウジング１１における底壁部７１１（ソケット側底壁部）（詳細は後述）を収容可能な空間である。底壁配置空間４２４は、ベースハウジング３１の後壁部３２ｃにおける第１方向Ｄ１側に位置し、第１方向Ｄ１、第３方向Ｄ３及び第４方向Ｄ４側それぞれに開口している。底壁配置空間４２４にソケットハウジング１１の底壁部７１１が収容されることで、底壁部７１１は、内方側凸リブ４２２よりも第１方向Ｄ１側に配置される。これにより、第２方向Ｄ２側へのソケットハウジング１１の底壁部７１１の移動が規制されるため、ソケットコネクタ１０とベースコネクタ３０との組み合わせ状態において、嵌合強度を向上させることができる。
【００２４】
複数の後壁補強凸部４２３は、後壁部３２ｃの補強部材として機能する。
複数の後壁補強凸部４２３は、基部４２１及び内方側凸リブ４２２の第２方向Ｄ２側の上面において、第２方向Ｄ２側に突出して形成され、第３方向Ｄ３において基部４２１及び内方側凸リブ４２２の全域に亘っている。複数の後壁補強凸部４２３は、第５方向Ｄ５に間隔をおいて複数設けられている。複数の後壁補強凸部４２３は、基部４２１及び内方側凸リブ４２２を補強する。第３方向Ｄ３に視た場合に、複数の後壁補強凸部４２３は、上底が下底よりも短い略台形形状を有し、第５方向Ｄ５の両端面は、直線状に下る傾斜面となっている。
【００２５】
複数の後壁補強凸部４２３は、組み合わせ状態において、複数の電線Ｗを避ける位置に配置される。具体的には、複数の後壁補強凸部４２３は、組み合わせ状態において、隣接する電線Ｗの間に位置するように、後述するソケットコネクタ１０の仕切壁７２に対応して設けられる。複数の後壁補強凸部４２３は、図１０に示すように、組み合わせ状態において、仕切壁７２の切欠部７２１に配置される。
【００２６】
前壁部３２ａの第１方向Ｄ１側の端面には、図１に示すように、第２方向Ｄ２に凹む複数のベース端子溝３２ｄが設けられている。ベース端子溝３２ｄは、前壁部３２ａの第３方向Ｄ３側の端面から第４方向Ｄ４側の端面に達するように形成されている。
前壁部３２ａの第２方向Ｄ２側の上面には、複数の前壁補強凸部３２１が設けられている。複数の前壁補強凸部３２１は、前壁部３２ａの補強部材として機能する。複数の前壁補強凸部３２１は、第５方向Ｄ５に間隔をおいて設けられ、複数のベース端子溝３２ｄの上方側に形成されている。複数の前壁補強凸部３２１は、第３方向Ｄ３に視た場合に上底が下底よりも短い略台形形状を有し、第５方向Ｄ５の両端面は、直線状に下る傾斜面となっている。
前壁部３２ａの第５方向Ｄ５の外側の両側には、第３方向Ｄ３に連通する連通孔３２２が形成されている。連通孔３２２は、側面リブ用溝５２ａに連通する。
【００２７】
ベースコンタクト３５は、板状の金属片からなる。ベースコンタクト３５は、底板部３８から第２方向Ｄ２に立ち上がるソケット側コンタクト部３５ａと、ベース端子溝３２ｄに配置された基板側コンタクト部３５ｂと、を有する。ソケット側コンタクト部３５ａと基板側コンタクト部３５ｂとは、つながっている。ベースコンタクト３５の基板側コンタクト部３５ｂの第１方向Ｄ１側の一部は、前壁部３２ａの第１方向Ｄ１側の端面から突出している。基板側コンタクト部３５ｂは、回路基板Ｓにおける配線等に電気的に接続されるとともに、半田付け等により回路基板Ｓに機械的に固定される。
【００２８】
ベースハウジング３１は、図３、図７及び図１３に示すように、その後壁部３２ｃにおける第５方向Ｄ５の外側において、第１方向Ｄ１及び第３方向Ｄ３に開放すると共に、第３方向Ｄ３及び第４方向Ｄ４に延びるスリット状の固定部材保持部３１１を有する。固定部材保持部３１１は、固定部材８を保持する。
【００２９】
固定部材８は、金属材料からなる板状部材から形成され、補強金具、補強タブ等とも呼ばれる。固定部材８は、図３、図７及び図１３に示すように、ベースハウジング３１の固定部材保持部３１１に挟持されて保持される。固定部材８は、第１方向Ｄ１、第２方向Ｄ２、第３方向Ｄ３及び第４方向Ｄ４に延びる平板形状を有する。固定部材８は、図３及び図１３に示すように、第１方向Ｄ１の端部に結合面８１を有する。固定部材８の結合面８１は、ベースハウジング３１を回路基板Ｓの表面（実装面）に固定する際に半田付けにより結合される。固定部材８の第２方向Ｄ２側は、ベースハウジング３１の固定部材保持部３１１に挟持されて保持される。固定部材８は、ベースハウジング３１に連結されると共に、ベースハウジング３１を回路基板Ｓの表面に固定する。
【００３０】
一対の側壁部３２ｂ，３２ｂは、第４方向Ｄ４側に配置される嵌合ガイドリブ用溝構成部５１と、第３方向Ｄ３側に配置される側面リブ用溝構成部５２と、を有する。
嵌合ガイドリブ用溝構成部５１は、第２方向Ｄ２側において、第３方向Ｄ３に離間して第５方向Ｄ５の内側に突出する一対の溝凸部５１ａ，５１ａを有している。嵌合ガイドリブ用溝構成部５１は、一対の溝凸部５１ａ，５１ａの間において、第５方向Ｄ５の内側が開放された平面視で略コ字状に形成される。嵌合ガイドリブ用溝構成部５１には、一対の溝凸部５１ａ，５１ａの間の空間が第１方向Ｄ１に延びると共に、下方において第４方向Ｄ４に屈曲して側面視において略Ｌ字形状（図１５の２点鎖線参照）に形成される嵌合ガイドリブ用溝５１ｂ，５１ｂが形成されている。
【００３１】
詳細には、嵌合ガイドリブ用溝５１ｂ，５１ｂは、図１に示すように、ベースハウジング３１に設けられる溝であって、ソケットハウジング１１における一対の嵌合ガイドリブ６１，６１（詳細は後述）をベースハウジング３１における第４方向Ｄ４側で且つ第１方向Ｄ１側の位置に誘導する溝である。嵌合ガイドリブ用溝５１ｂは、側壁部３２ｂにおける第２方向Ｄ２側の端部から第１方向Ｄ１に延びている。また、嵌合ガイドリブ用溝５１ｂは、その第４方向Ｄ４側で且つ第１方向Ｄ１側の位置に、嵌合ガイドリブ係止部５１ｃを備えている。嵌合ガイドリブ係止部５１ｃは、第４方向Ｄ４側に凹むと共に、図８に示すように、組み合わせ状態において嵌合ガイドリブ６１を収容可能となっている。つまり、嵌合ガイドリブ用溝５１ｂは、全体として、側壁部３２ｂにおける第２方向Ｄ２側の端部から第１方向Ｄ１に延びると共に、第４方向Ｄ４に向けて屈曲し、図１５に示すように、側面視において略Ｌ字形状に延びている。
【００３２】
図７及び図８に示すように、組み合わせ状態において、第３方向Ｄ３及び第４方向Ｄ４において、嵌合ガイドリブ６１が嵌合ガイドリブ係止部５１ｃに収容された領域を、嵌合ガイドリブ収容領域Ｋ１という。嵌合ガイドリブ収容領域Ｋ１は、図７及び図８に示すように、第２方向Ｄ２に視た場合に、嵌合ガイドリブ６１と嵌合ガイドリブ係止部５１ｃとが重なる領域である。嵌合ガイドリブ６１は、嵌合ガイドリブ収容領域Ｋ１において、嵌合ガイドリブ係止部５１ｃに係止される。
【００３３】
嵌合ガイドリブ収容領域Ｋ１は、図７に示すように、第３方向Ｄ３及び第４方向Ｄ４において、固定部材８と近い位置、又は、第５方向Ｄ５に視た場合に、固定部材８の一部が重なる位置に形成される。ここで、図７に示すように、第３方向Ｄ３及び第４方向Ｄ４において、嵌合ガイドリブ収容領域Ｋ１は、ベースハウジング３１が固定部材８により回路基板Ｓに固定されている位置と近い位置である。そのため、嵌合ガイドリブ６１が嵌合ガイドリブ係止部５１ｃに係止される際において、ベースハウジング３１の弾性変形を抑制することができる。
【００３４】
前壁部３２ａと側壁部３２ｂとがつながる部分（収容空間３９の第３方向Ｄ３側の２つの角部）には、側面リブ用溝構成部５２が形成されている。側面リブ用溝構成部５２には、一対の側壁部３２ｂ，３２ｂの第５方向Ｄ５の内側の側面において、側面リブ用溝５２ａが形成されている。側面リブ用溝５２ａの第２方向Ｄ２側には、ラッチ部５２ｂが設けられている。ラッチ部５２ｂの第２方向Ｄ２側の端部は、ラッチ部５２ｂにおける第２方向Ｄ２側から第１方向Ｄ１に向かうと共に第５方向Ｄ５の内側に向けて傾斜する傾斜面となっている。図１１に示すように、ラッチ部５２ｂは、組み合わせ状態において、ソケットハウジング１１における一対の側面リブ６２の第５方向Ｄ５の外側に設けられる延長リブ６３に係合される。
【００３５】
詳細には、側面リブ用溝５２ａは、図１に示すように、ベースハウジング３１に設けられる溝であって、ソケットハウジング１１における一対の側面リブ６２，６２（詳細は後述）及び一対の延長リブ６３，６３（詳細は後述）を第５方向Ｄ５の内側に押圧した状態で、一対の側面リブ６２，６２をベースハウジング３１における第１方向Ｄ１側の位置に誘導する溝である。側面リブ用溝５２ａは、側壁部３２ｂにおける第２方向Ｄ２側の端部から底板部３８の上面に亘って、第１方向Ｄ１に延びている。また、図１１に示すように、側面リブ用溝５２ａは、組み合わせ状態において側面リブ６２を収容可能となっている。また、側面リブ用溝５２ａは、ラッチ部５２ｂよりも第１方向Ｄ１側において、前壁部３２ａの連通孔３２２に連通する。
【００３６】
次に、ベースコネクタ３０と組み合わされて使用される、本実施形態のソケットコネクタ１０について、図１〜図１１及び図１７〜図２１を参照しながら説明する。
図１〜図５等に示すように、第１実施形態のソケットコネクタ１０は、合成樹脂等からなるソケットハウジング１１と、ソケットコンタクト２１と、を備える。また、ソケットコネクタ１０には、電線Ｗが配置される。電線Ｗは、第４方向Ｄ４に延びている。図９及び図１１に示すように、電線Ｗは、ソケットコンタクト２１に接続されている。ベースコンタクト３５がソケットコンタクト２１によって挟持されることにより、ソケットコンタクト２１とベースコンタクト３５とは、電気的に接続される。
【００３７】
ソケットハウジング１１は、全体で略直方体形状を有している。ソケットハウジング１１においては、第２方向Ｄ２側における第４方向Ｄ４に沿う縁部は、第５方向Ｄ５の外側及び第３方向Ｄ３に延出し、つば部１１ａを形成している。つば部１１ａは、ソケットコネクタ１０の着脱時にソケットハウジング１１の摘みやすさを向上させる。
【００３８】
ソケットハウジング１１における第５方向Ｄ５の外側には、図１及び図４に示すように、第５方向Ｄ５の外側に突出する、一対の嵌合ガイドリブ６１，６１及び一対の側面リブ６２，６２が形成されている。
一対の嵌合ガイドリブ６１，６１は、ソケットハウジング１１における第４方向Ｄ４側の端部側に設けられている。一対の側面リブ６２，６２は、ソケットハウジング１１における第３方向Ｄ３側の端部側に設けられている。
【００３９】
嵌合ガイドリブ６１は、ソケットハウジング１１における第４方向Ｄ４側に、第５方向Ｄ５の外側にそれぞれ突出するように設けられている。嵌合ガイドリブ６１は、ソケットハウジング１１の側面における第４方向Ｄ４側で且つ第１方向Ｄ１側に位置している。
【００４０】
嵌合ガイドリブ６１は、略円柱形状に形成され、第１方向Ｄ１の縁部においてテーパ状に切り欠かれている。嵌合ガイドリブ６１は、ソケットコネクタ１０とベースコネクタ３０とを組み合わせる際に、嵌合ガイドリブ用溝５１ｂに第１方向Ｄ１に挿入され、挿入ガイドとして機能する。嵌合ガイドリブ６１は、ソケットコネクタ１０とベースコネクタ３０とを組み合わせる際に、嵌合ガイドリブ用溝５１ｂに沿って移動されることで、第４方向Ｄ４側で且つ第１方向Ｄ１側の位置に誘導されて、ソケットコネクタ１０を回転及び／又はスライドさせて、嵌合ガイドリブ係止部５１ｃに滑り込むように導入され、収容される。
【００４１】
なお、本実施形態においては、嵌合ガイドリブ６１を略円柱形状に形成したが、これに限定されない。嵌合ガイドリブ６１を、例えば、楕円柱形状や多角柱形状に形成してもよい。また、嵌合ガイドリブ６１を、柱形状としたが、例えば、筒形状に形成してもよい。
【００４２】
一対の側面リブ６２，６２は、ソケットハウジング１１における第３方向Ｄ３側に、第５方向Ｄ５の外側にそれぞれ突出する。側面リブ６２には、図４及び図５に示すように、第３方向Ｄ３に貫通する貫通孔６２１が形成されている。貫通孔６２１は、図４、図１８、図１９に示すように、組み合わせ状態において第３方向Ｄ３に視た場合に、嵌合ガイドリブ６１と少なくとも一部が重なる位置に配置される。
【００４３】
側面リブ６２には、図４に示すように、側面リブ傾斜部６２ａが形成されている。側面リブ傾斜部６２ａは、側面リブ６２における第３方向Ｄ３側で且つ第１方向Ｄ１側に設けられ、第４方向Ｄ４側に且つ第１方向Ｄ１側に向けて傾斜している。
【００４４】
延長リブ６３は、側面リブ６２における第５方向Ｄ５の外側に、側面リブ６２と一体的に形成されており、側面リブ６２における第５方向Ｄ５の外側に突出して形成されている。
延長リブ６３は、略台形柱状に形成され、第４方向Ｄ４に延びている。
側面リブ６２及び延長リブ６３は、ソケットコネクタ１０とベースコネクタ３０とを組み合わせる際に、側面リブ用溝５２ａに第１方向Ｄ１に挿入され、挿入ガイドとして機能する。
図１１に示すように、延長リブ６３は、組み合わせ状態において、ベースハウジング３１に設けられる側面リブ用溝構成部５２に形成されるラッチ部５２ｂに係合する。
【００４５】
ソケットハウジング１１の第４方向Ｄ４側の端部１１ｃには、図５に示すように、電線Ｗが挿入される矩形の電線挿入孔１１ｄが設けられている。電線挿入孔１１ｄは、電線Ｗが配置される空間である。電線挿入孔１１ｄは、外形を構成する矩形状の電線配置枠体７１と、電線配置枠体７１の内側を第５方向Ｄ５に仕切る仕切壁７２とに仕切られて形成される。
【００４６】
電線配置枠体７１は、図５に示すように、第３方向Ｄ３に視た場合に、略矩形枠状に形成される。電線配置枠体７１は、底壁部７１１と、ソケット側干渉部としての一対の側壁部７１２，７１２と、天壁部７１３と、を有する。
底壁部７１１、一対の側壁部７１２，７１２及び天壁部７１３は、少なくともソケットハウジング１１の第３方向Ｄ３の端部においては、板状に形成される。底壁部７１１、一対の側壁部７１２，７１２及び天壁部７１３におけるソケットハウジング１１の第３方向Ｄ３側の端面は、同一平面上に位置している。
【００４７】
天壁部７１３は、図５に示すように、電線配置枠体７１の天井の壁を構成する。
底壁部７１１は、天壁部７１３に略平行に配置され、電線配置枠体７１の底部の壁を構成する。底壁部７１１は、第４方向Ｄ４の端部側において所定の厚みを有する板状に形成されている。図１７に示すように、第３方向Ｄ３側において、接点露出スリット１３が形成されている。ソケットコンタクト２１は、接点露出スリット１３から露出するように配置されている。
【００４８】
底壁部７１１の第４方向Ｄ４側の端面７１１ａは、図５、図７及び図１７に示すように、第５方向Ｄ５に直線状に延びており、ソケット側基準面１１０を構成する。ソケット側基準面１１０は、図７に示すように、組み合わせ状態において、ベース側基準面１００に対向する。底壁部７１１の端面７１１ａ（ソケット側基準面１１０）は、図７に示すように、組み合わせ状態において、第５方向Ｄ５の両端部において、ベース側基準面１００（外側後壁部４１の第３方向Ｄ３側の端面４１ａ）に当接又は近接する。
【００４９】
一対の側壁部７１２，７１２は、図５に示すように、第３方向Ｄ３から視た場合に、底壁部７１１の第５方向Ｄ５の両端部から、それぞれ、第２方向Ｄ２に立設されている。一対の側壁部７１２，７１２は、ソケットハウジング１１における第５方向Ｄ５の外側それぞれに設けられている。一対の側壁部７１２，７１２は、ソケットハウジング１１の電線配置枠体７１の両端部に設けられている。一対の側壁部７１２，７１２は、ベースハウジング３１における内方側凸リブ４２２以外の部分に対向する。
【００５０】
具体的には、図７に示すように、同じ電極数のベースコネクタ３０とソケットコネクタ１０との組み合わせ状態において、一対の側壁部７１２，７１２は、後壁部３２ｃにおける一対の外側後壁部４１，４１の第３方向Ｄ３側の縁部３４ｂに対向している。これにより、同じ電極数のベースコネクタ３０とソケットコネクタ１０との組み合わせ状態では、一対の側壁部７１２，７１２は、組み合わせ状態の形成を阻害しない。
【００５１】
複数の仕切壁７２は、電線配置枠体７１の内部の空間を、電線Ｗが配置する空間に分割するように、第５方向Ｄ５において、電線Ｗが配置される空間を仕切る。具体的には、複数の仕切壁７２は、第１方向Ｄ１及び第３方向Ｄ３に延びており、電線配置枠体７１の天壁部７１３及び底壁部７１１を繋くように配置される。複数の仕切壁７２は、電線配置枠体７１の内部において、所定間隔毎に、第５方向Ｄ５に並んで配置される。
【００５２】
仕切壁７２は、図５に示すように、ソケットハウジング１１の第４方向Ｄ４の端部において、第１方向Ｄ１側の部分が第３方向Ｄ３側に切り欠いて形成される切欠部７２１を有している。切欠部７２１は、仕切壁７２の一部を切り欠いて形成されている。具体的には、切欠部７２１は、図２１に示すように、第５方向Ｄ５に視た場合に、仕切壁７２の第１方向Ｄ１の端部及び第４方向Ｄ４の端部において略矩形状に切り欠いて形成されている。図１０に示すように、切欠部７２１には、組み合わせ状態において、後壁補強凸部４２３が収容される。
【００５３】
このように構成される電線配置枠体７１においては、図５に示すように、切欠部７２１を含み且つ第５方向Ｄ５において一対の側壁部７１２，７１２の間の空間は、ソケット側凹部７０を構成する。本実施形態においては、ソケット側凹部７０は、底壁部７１１の第２方向Ｄ２側の空間である。ソケット側凹部７０は、内方側凸リブ４２２に干渉しないようにソケット側基準面１１０から第３方向Ｄ３側に凹む。組み合わせ状態において、図１０に示すように、内方側凸リブ４２２は、ソケット側凹部７０に収容される。組み合わせ状態において、内方側凸リブ４２２がソケット側凹部７０に収容され、第１方向Ｄ１及び第２方向Ｄ２から視た場合に、図７に示すように、内方側凸リブ４２２と底壁部７１１とは重なる位置に配置される。
【００５４】
図７及び図１０に示すように、組み合わせ状態において、第３方向Ｄ３及び第４方向において、内方側凸リブ４２２と底壁部７１１とが重なる部分の領域を、内方側凸リブ重なり領域Ｋ２という。内方側凸リブ重なり領域Ｋ２は、図７及び図８に示すように、第２方向Ｄ２に視た場合に、内方側凸リブ４２２と底壁部７１１とが重なる領域である。内方側凸リブ４２２は、内方側凸リブ重なり領域Ｋ２において、底壁部７１１の第２方向Ｄ２側に位置する。
【００５５】
内方側凸リブ重なり領域Ｋ２は、図７に示すように、第３方向Ｄ３及び第４方向Ｄ４において、固定部材８と近い位置、又は、第５方向Ｄ５に視た場合に、固定部材８の一部が重なる位置に形成される。内方側凸リブ重なり領域Ｋ２は、図７に示すように、第３方向Ｄ３及び第４方向Ｄ４において、嵌合ガイドリブ収容領域Ｋ１と近い位置、又は、第５方向Ｄ５に視た場合に、嵌合ガイドリブ収容領域Ｋ１の一部が重なる位置に形成される。
【００５６】
ここで、図７に示すように、第３方向Ｄ３及び第４方向Ｄ４において、内方側凸リブ重なり領域Ｋ２は、ベースハウジング３１が固定部材８により回路基板Ｓに固定されている位置と近い位置である。そのため、内方側凸リブ４２２がソケット側凹部７０に収容される際において、ベースハウジング３１の弾性変形を抑制することができる。
【００５７】
前述の構成を有するソケットコネクタ１０とベースコネクタ３０とは、図２２〜図２４に示すように、次のように組み合わされ、ソケット−ベースコネクタ対が形成される。
図２２（Ａ）及び（Ｂ）は、ソケットコネクタ１０とベースコネクタ３０との組み合わせる際にソケットコネクタ１０を傾けた状態を示す図である。図２３（Ａ）及び（Ｂ）は、ソケットコネクタ１０とベースコネクタ３０との組み合わせ手順を順次示す図であって、図２２（Ａ）に示す２２Ａ−２２Ｂ−２２Ｃ−２２Ｄ線断面図である。図２４（Ａ）及び（Ｂ）は、図２３（Ａ）及び（Ｂ）に示す状態から進行した組み合わせ手順を順次示す図である。図２５（Ａ）〜（Ｃ）は、ソケットコネクタ１０とベースコネクタ３０との組み合わせ手順を順次示す図であって、図２２（Ｂ）に示す２２Ｅ−２２Ｅ線断面図である。
【００５８】
嵌合ガイドリブ６１と嵌合ガイドリブ用溝５１ｂとを対向させ、側面リブ６２と側面リブ用溝５２ａとを対向させ、底壁部７１１の第４方向Ｄ４の端面７１１ａを内方側凸リブ４２２に対向させ、接点露出スリット１３とベースコンタクト３５におけるソケット側コンタクト部３５ａとを対向させた状態において、ソケットコネクタ１０とベースコネクタ３０とを第１方向Ｄ１又は第２方向Ｄ２に相対的に接近させる。その結果、嵌合ガイドリブ６１が嵌合ガイドリブ用溝５１ｂに挿入され、側面リブ６２が側面リブ用溝４３に挿入され、底壁部７１１が内方側凸リブ４２２の下方側（第１方向Ｄ１側）に収容され、接点露出スリット１３にベースコンタクト３５におけるソケット側コンタクト部３５ａが挿入される。
【００５９】
特に、図２３〜図２５に示す手順で、ソケットコネクタ１０とベースコネクタ３０とが組み合わされることが好ましい。
【００６０】
まず、ソケットコネクタ１０のソケットハウジング１１について、図２２（Ａ）、図２２（Ｂ）及び図２３（Ａ）に示すように、その第４方向Ｄ４側を第１方向Ｄ１側に傾け、図２３（Ｂ）及び図２５（Ａ）に示すように、嵌合ガイドリブ６１を嵌合ガイドリブ用溝５１ｂに向けて挿入すると共に、底壁部７１１の第４方向Ｄ４の端面７１１ａを内方側凸リブ４２２の下側（第１方向Ｄ１側）に向けて挿入する。つまり、側面リブ６２が側面リブ用溝５２ａに挿入するよりも先に、嵌合ガイドリブ６１を嵌合ガイドリブ用溝５１ｂに挿入する。
【００６１】
ソケットコネクタ１０について傾きをほぼ維持した状態で、ベースコネクタ３０に向けて第１方向Ｄ１に移動させる。ある時点で、側面リブ６２の側面リブ傾斜部６２ａが側面リブ用溝５２ａにおける第３方向Ｄ３の壁に接触する。この時点で、嵌合ガイドリブ６１は、図２４（Ａ）に示すように、嵌合ガイドリブ用溝５１ｂにおける嵌合ガイドリブ係止部５１ｃの近傍に位置している。また、底壁部７１１は、図２５（Ｂ）に示すように、内方側凸リブ４２２の近傍に位置している。
【００６２】
更に、ソケットコネクタ１０を更に第１方向Ｄ１に移動させると、側面リブ６２は、側面リブ用溝５２ａから第４方向Ｄ４向きの反力を受ける。そのため、側面リブ６２が第４方向Ｄ４に撓んで、嵌合ガイドリブ６１は、図２４（Ｂ）に示すように、嵌合ガイドリブ係止部５１ｃに滑り込むように導入され、収容される。同様に、底壁部７１１は、図２５（Ｃ）に示すように、内方側凸リブ４２２の下方側（第１方向Ｄ１側）に滑り込むように導入され、収容される。ここで、言い換えると、この状態においては、内方側凸リブ４２２は、ソケット側凹部７０に収容されている。
【００６３】
このように、嵌合ガイドリブ６１が嵌合ガイドリブ係止部５１ｃに収容され、また、底壁部７１１が内方側凸リブ４２２の下側（第１方向Ｄ１側）に収容されると、ソケットハウジング１１における第４方向Ｄ４側がベースハウジング３１から離れる方向に（すなわち第３方向Ｄ３に）移動しそうになったとしても、嵌合ガイドリブ６１が嵌合ガイドリブ係止部５１ｃに係止され、また、底壁部７１１が内方側凸リブ４２２の下方側（第１方向Ｄ１側）に収容されているため、ソケットハウジング１１における第３方向Ｄ３側がベースハウジング３１から分離しにくい。
【００６４】
嵌合ガイドリブ係止部５１ｃへの嵌合ガイドリブ６１の収容及びソケット側凹部７０への内方側凸リブ４２２の収容の後、所定以上の力を掛けて、第３方向Ｄ３側において、更にソケットコネクタ１０とベースコネクタ３０とを第１方向Ｄ１又は第２方向Ｄ２に相対的に接近させる。そうすると、延長リブ６３が、ラッチ部５２ｂの傾斜面を摺動し、側面リブ６２が第５方向Ｄ５の内側に撓んで、ラッチ部５２ｂを乗り越えて、図２４（Ａ）及び（Ｂ）に示すように、ラッチ部５２ｂの第１方向Ｄ１側に移動する。すなわち、延長リブ６３は、ラッチ部５２ｂに係合すると共に、側面リブ用溝５２ａに完全に挿入される。
【００６５】
側面リブ６２及び延長リブ６３が、側面リブ用溝５２ａに完全に挿入されると、ソケットコネクタ１０とベースコネクタ３０とは、図２４（Ｂ）に示す状態になり、ソケットコネクタ−ベースコネクタ対の形成は終了する。また、延長リブ６３がラッチ部５２ｂに係合する際、クリック感が生じる。そのため、作業者は、ソケットコネクタ−ベースコネクタ対の形成の終了を容易に判断することができる。このように、延長リブ６３とラッチ部５２ｂとが係合されることにより、ソケットコネクタ１０とベースコネクタ３０との結合状態が維持される。
【００６６】
ここで、一対の側面リブ６２，６２は、ソケットハウジング１１における第４方向Ｄ４側に、第３方向Ｄ３の外側にそれぞれ突出する。側面リブ６２には、第３方向Ｄ３に貫通する貫通孔６２１が形成されている。そのため、一対の側面リブ６２，６２は、第５方向Ｄ５の内側に変形しやすい。これにより、ソケットコネクタ１０とベースコネクタ３０とを組み合わせる際に、一対の側面リブ６２，６２が第５方向Ｄ５の内側に変形するため、側面リブ６２及び延長リブ６３を、側面リブ用溝５２ａに挿入しやすく且つ側面リブ用溝５２ａから抜きやすい。また、ベースコネクタ３０に対してソケットコネクタ１０を抜き差しすることにより生じるソケットコネクタ１０やベースコネクタ３０の摩耗等の損傷を低減することができる。
【００６７】
以上の構成を有する本実施形態のソケットコネクタ１０によれば、以下の効果が奏される。
本実施形態においては、ソケットハウジング１１は、第５方向Ｄ５の外側にそれぞれ突出する嵌合ガイドリブ６１を備え、ベースハウジング３１は、嵌合ガイドリブ６１を誘導する嵌合ガイドリブ用溝５１ｂを備え、ソケットハウジング１１は、第５方向Ｄ５の外側にそれぞれ突出し且つ第３方向Ｄ３に貫通する貫通孔６２１が形成される側面リブ６２と、側面リブ６２の第５方向Ｄ５の外側にそれぞれ突出する延長リブ６３と、を備え、ベースハウジング３１は、側面リブ６２及び延長リブ６３を第５方向Ｄ５の内側に押圧した状態で側面リブ６２をベースハウジング３１における第１方向Ｄ１側の位置に誘導する側面リブ用溝５２ａと、組み合わせ状態において延長リブ６３が係合するラッチ部５２ｂと、を備える。そのため、側面リブ６２，６２は、第５方向Ｄ５の内側に変形しやすい。これにより、ソケットコネクタ１０とベースコネクタ３０とを組み合わせる際に、側面リブ６２，６２が第５方向Ｄ５の内側に変形するため、側面リブ６２及び延長リブ６３を、側面リブ用溝５２ａに挿入しやすく且つ側面リブ用溝５２ａから抜きやすい。また、ベースコネクタ３０に対してソケットコネクタ１０を抜き差しすることにより生じるソケットコネクタ１０やベースコネクタ３０の摩耗等の損傷を低減することができる。
【００６８】
また、本実施形態においては、組み合わせ状態において第３方向Ｄ３に視た場合に、貫通孔６２１と嵌合ガイドリブ６１とは少なくとも一部が重なる位置に配置される。そのため、金型を用いてソケットコネクタ１０を成形する際に、貫通孔６２１と嵌合ガイドリブ６１とが重なる位置に配置される構成において、貫通孔６２１にコアピンを貫通させることができるため、嵌合ガイドリブ６１の成形において、金型の構成の自由度を向上させることができる。例えば、金型の数を少なくできたり、金型の型割りの設計を容易に行うことができる。
【００６９】
本発明は、上記実施形態に限定されることはなく、特許請求の範囲に記載された技術的範囲において変形が可能である。
例えば、前記実施形態においては、「嵌合ガイドリブ６１」、「嵌合ガイドリブ用溝５１ｂ」、「側面リブ６２」、「延長リブ６３」、「側面リブ用溝５２ａ」、「ラッチ部５２ｂ」を、それぞれ、一対ずつ備える構成としたが、これに制限されず、第５方向Ｄ５における一方側の１つずつ備える構成でもよい。
【符号の説明】
【００７０】
１０  ソケットコネクタ
１１  ソケットハウジング
３０  ベースコネクタ
３１  ベースハウジング
５１ｂ  嵌合ガイドリブ用溝
５２ａ  側面リブ用溝
５２ｂ  ラッチ部
６１  嵌合ガイドリブ
６２  側面リブ
６３  延長リブ
６２１  貫通孔
Ｄ１  第１方向
Ｄ２  第２方向
Ｄ３  第３方向
Ｄ４  第４方向
Ｄ５  第５方向
Ｓ  回路基板
【図１】
0006534829.tif 000002
【図２】
0006534829.tif 000003
【図３】
0006534829.tif 000004
【図４】
0006534829.tif 000005
【図５】
0006534829.tif 000006
【図６】
0006534829.tif 000007
【図７】
0006534829.tif 000008
【図８】
0006534829.tif 000009
【図９】
0006534829.tif 000010
【図１０】
0006534829.tif 000011
【図１１】
0006534829.tif 000012
【図１２】
0006534829.tif 000013
【図１３】
0006534829.tif 000014
【図１４】
0006534829.tif 000015
【図１５】
0006534829.tif 000016
【図１６】
0006534829.tif 000017
【図１７】
0006534829.tif 000018
【図１８】
0006534829.tif 000019
【図１９】
0006534829.tif 000020
【図２０】
0006534829.tif 000021
【図２１】
0006534829.tif 000022
【図２２】
0006534829.tif 000023
【図２３】
0006534829.tif 000024
【図２４】
0006534829.tif 000025
【図２５】
0006534829.tif 000026